(57)【要約】【課題】複数のコネクタを実装する実装基板において、コネクタの挿入口の近傍に部品を実装しないようにすると、例えば実装基板を小型化できない場合がある。【解決手段】電子機器は、実装基板と、実装基板に実装され、第１挿入口を有する第１コネクタと、実装基板に実装され、第１挿入口と向かい合う位置に第２挿入口を有する第２コネクタと、第１挿入口に挿入された第１配線基板と、第２挿入口に挿入され、第１挿入口と第２挿入口との間で第１配線基板と少なくとも一部が重なって配置された第２平板状配線とを備える。【選択図】図１
2015075642.tif 000002
【特許請求の範囲】
【請求項１】
実装基板と、
前記実装基板に実装され、第１挿入口を有する第１コネクタと、
前記実装基板に実装され、前記第１挿入口と向かい合う位置に第２挿入口を有する第２コネクタと、
前記第１挿入口に挿入された第１配線基板と、
前記第２挿入口に挿入され、前記第１挿入口と前記第２挿入口との間で前記第１配線基板と少なくとも一部が重なって配置された第２配線基板と
を備える電子機器。
【請求項２】
前記第１配線基板および前記第２配線基板は、フレキシブルプリント基板である
請求項１に記載の電子機器。
【請求項３】
前記第１配線基板は、前記第１挿入口に着脱可能であり、
前記第２配線基板は、前記第２挿入口に着脱可能である
請求項１または２に記載の電子機器。
【請求項４】
前記第２配線基板は、
前記第１配線と前記実装基板との間に配置され、
前記第２挿入口に挿入されるコネクタ部と、
前記第１挿入口と前記第２挿入口との間の間隔より狭い幅を有し、前記第１挿入口と前記第２挿入口との間を通過する配線部と
を有する請求項３に記載の電子機器。
【請求項５】
前記第２コネクタは、非ＺＩＦタイプのコネクタである
請求項４に記載の電子機器。
【請求項６】
前記第１コネクタは、ＺＩＦタイプのコネクタである
請求項５に記載の電子機器。
【請求項７】
前記実装基板上の前記第１挿入口と前記第２挿入口との間で、前記第１配線基板と前記第２配線基板との間に設けられたシールド部
をさらに有する請求項１から６のいずれか一項に記載の電子機器。
【請求項８】
前記電子機器は撮像装置である
請求項１から７のいずれか一項に記載の電子機器。
【請求項９】
レンズを有するレンズ鏡筒部
を更に備え、
前記実装基板は、前記レンズ鏡筒部内に、前記第１コネクタおよび前記第２コネクタを実装する実装面が前記レンズの光軸に略平行になるように配置され、
前記実装面は、
前記光軸側に位置する内側縁部と、
前記内側縁部より前記光軸から離れた側に位置する外側縁部と
を有し、
前記第１コネクタおよび前記第２コネクタの一方は、前記第１コネクタおよび前記第２コネクタの他方が実装された位置より前記内側縁部側の位置に実装される
請求項１から８のいずれか一項に記載の電子機器。
【発明の詳細な説明】
【技術分野】
【０００１】
本発明は、電子機器に関する。
【背景技術】
【０００２】
鏡筒から延出されたフレキシブル基板を、電気基板の正面側から背面側に回り込ませて、電気基板の背面側に設けられたコネクタに接続した電子カメラが知られている（例えば、特許文献１参照。）。
［先行技術文献］
［特許文献］
［特許文献１］特開平１１−２９８７６９号公報
【発明の概要】
【発明が解決しようとする課題】
【０００３】
フレキシブルプリント基板等の配線基板を挿入するコネクタの挿入口の近傍に実装部品を実装すると、例えばコネクタに配線基板を挿入する場合に、配線基板と実装部品とが干渉する場合がある。複数のコネクタが実装される実装基板において、コネクタの挿入口の近傍に部品を実装しないようにすると、例えば実装基板を小型化できない場合がある。
【課題を解決するための手段】
【０００４】
一態様においては、電子機器は、実装基板と、実装基板に実装され、第１挿入口を有する第１コネクタと、実装基板に実装され、第１挿入口と向かい合う位置に第２挿入口を有する第２コネクタと、第１挿入口に挿入された第１配線基板と、第２挿入口に挿入され、第１挿入口と第２挿入口との間で第１配線基板と少なくとも一部が重なって配置された第２配線基板とを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】カメラ１０の要部を示す模式的な断面図を示す。
【図２】鏡筒部２１および実装基板３０を光軸ＡＸに沿う方向に見た場合の配置例を模式的に示す。
【図３】実装基板３０、コネクタ１００およびコネクタ２００を示す正面図である。
【図４】フレキシブルプリント基板１１０をコネクタ１００に挿入した状態を示す正面図である。
【図５】フレキシブルプリント基板２１０がコネクタ２００に挿入された状態を示す斜視図である。
【図６】フレキシブルプリント基板１１０がコネクタ１００に挿入され、フレキシブルプリント基板２１０がコネクタ２００に挿入された状態を示す斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、カメラ１０の要部を示す模式的な断面図を示す。カメラ１０は、撮像装置の一例としてのレンズ交換式カメラである。カメラ１０は、カメラ本体８０と、レンズ鏡筒の一例としてのレンズユニット２０とを備える。レンズユニット２０は、カメラ本体８０の被写体側に装着される。レンズユニット２０は、交換レンズであり、カメラ本体８０に対して着脱可能である。図１では、レンズユニット２０がカメラ本体８０に装着された状態を示す。
【０００９】
レンズユニット２０は、レンズ系１５、鏡筒部２１、レンズ側マウント４０、レンズ側ＭＰＵ２４、レンズ駆動部２８、実装基板３０、コネクタ１００、コネクタ２００、フレキシブルプリント基板１１０、フレキシブルプリント基板２１０を備える。鏡筒部２１は、略円筒状の形状を有し、内部にレンズ系１５を保持する。
【００１０】
レンズ側マウント４０は、カメラ本体８０が備えるカメラ側マウント５０に取り付けられる。レンズ側マウント４０およびカメラ側マウント５０は、いわゆるマウントリングである。レンズ側マウント４０は例えばバヨネット式のマウント構造によりカメラ側マウント５０と係合して、レンズユニット２０がカメラ本体８０と一体化する。レンズ側マウント４０およびカメラ側マウント５０はそれぞれ、機械的な係合部の他に電気的な接続部も備え、カメラ本体８０からレンズユニット２０への電力の供給および相互の通信を実現する。
【００１１】
レンズ系１５は、光軸ＡＸに沿って配列された複数のレンズ１１、レンズ１２、レンズ１３およびレンズ１４を有する。レンズ１１、レンズ１２、レンズ１３、レンズ１４は、それぞれ複数のレンズにより構成されたレンズ群であってもよい。
【００１２】
カメラ本体８０は、カメラ側マウント５０、撮像ユニット６０、フレキシブルプリント基板６８およびメイン基板７０を有する。メイン基板７０にはカメラ側ＭＰＵ７１、ＡＳＩＣ７２等の電子部品が実装されている。カメラ側ＭＰＵ７１は、フレキシブルプリント基板６８を介して、撮像ユニット６０を制御する制御信号を撮像ユニット６０に出力する。
【００１３】
レンズ１１、レンズ１２、レンズ１３、レンズ１４を通過した被写体光は、撮像ユニット６０が有する撮像素子に入射する。撮像素子が被写体光を受光することによって生成した撮像信号は、フレキシブルプリント基板６８を介してメイン基板７０に伝送される。ＡＳＩＣ７２は、フレキシブルプリント基板６８を通じて取得した撮像信号に基づき、画像処理を行って被写体像の画像データを生成する。
【００１４】
レンズ１１、レンズ１２およびレンズ１３は、光軸ＡＸ方向に可動に設けられる。レンズ１１、レンズ１２およびレンズ１３は、レンズユニット２０に設けられたレンズ駆動部２８が有するモータの駆動力によって、光軸ＡＸ方向に駆動される。当該モータは、後述するレンズ側ＭＰＵ２４によって制御される。レンズ１１、レンズ１２、レンズ１３が光軸ＡＸ方向に移動することにより、光学系の画角調整やフォーカス位置の調整が実現される。
【００１５】
例えば、カメラ側ＭＰＵ７１は、カメラ本体８０においてレリーズボタンが半押し操作された場合に、フォーカス位置を制御する制御信号をレンズユニット２０に出力する。レンズ側ＭＰＵ２４は、カメラ側ＭＰＵ７１からの制御信号を取得すると、レンズ駆動部２８にモータ制御信号を出力して、レンズ１１、レンズ１２およびレンズ１３のうちフォーカス調節を担うレンズを光軸ＡＸ方向に移動させる。
【００１６】
また、カメラ本体８０において画角を調節する操作がなされた場合に、カメラ側ＭＰＵ７１は、画角を制御する制御信号をレンズユニット２０に出力する。レンズ側ＭＰＵ２４は、カメラ側ＭＰＵ７１からの制御信号を取得すると、レンズ駆動部２８にモータ制御信号を出力して、レンズ１１、レンズ１２およびレンズ１３のうち画角調節を担うレンズを光軸ＡＸ方向に移動させる。
【００１７】
レンズユニット２０の実装基板３０には、コネクタ１００およびコネクタ２００と、後述するレンズ側ＭＰＵ２４が実装される。フレキシブルプリント基板１１０は、コネクタ１００に装着される。フレキシブルプリント基板２１０は、コネクタ２００に装着される。
【００１８】
レンズ側ＭＰＵ２４は、フレキシブルプリント基板２１０を介してカメラ側ＭＰＵ７１と通信する。フレキシブルプリント基板２１０は、レンズ側ＭＰＵ２４とカメラ側ＭＰＵ７１との間でやりとりされる信号を伝送する。例えば、レンズ側ＭＰＵ２４は、画角制御やフォーカス制御の制御信号を、フレキシブルプリント基板２１０を通じてカメラ側ＭＰＵ７１から取得する。また、レンズ側ＭＰＵ２４は、レンズユニット２０の状態や制御結果等を示す信号を、フレキシブルプリント基板２１０を通じてカメラ側ＭＰＵ７１に出力する。また、フレキシブルプリント基板２１０は、カメラ本体８０から供給される電力を受け取る配線を有する。
【００１９】
レンズ側ＭＰＵ２４は、フレキシブルプリント基板１１０を介してレンズ駆動部２８と通信する。フレキシブルプリント基板１１０は、レンズ駆動部２８と通信ＩＦ２１との間でやりとりされる信号を伝送する。例えば、レンズ側ＭＰＵ２４は、レンズ駆動部２８が有するモータを制御する御信号を、フレキシブルプリント基板１１０を通じてレンズ駆動部２８に出力する。また、レンズ側ＭＰＵ２４は、レンズ駆動部２８の状態やレンズ駆動部２８の制御結果等を示す信号を、フレキシブルプリント基板１１０を通じてレンズ駆動部２８から取得する。また、フレキシブルプリント基板１１０は、カメラ本体８０から供給される電力をレンズ駆動部２８に供給する配線を有する。
【００２０】
フレキシブルプリント基板１１０およびフレキシブルプリント基板２１０は、可撓性を有する絶縁性の樹脂シートに配線パターンが形成された帯状の部材である。フレキシブルプリント基板１１０は、コネクタ１００に着脱可能である。フレキシブルプリント基板２１０は、コネクタ２００に着脱可能である。
【００２１】
コネクタ１００およびコネクタ２００は、コネクタ１００の挿入口とコネクタ２００の挿入口とが向かい合うように、実装基板３０に実装される。フレキシブルプリント基板１１０がコネクタ１００に挿入され、フレキシブルプリント基板２１０がコネクタ２００に挿入された場合、フレキシブルプリント基板１１０の一部とフレキシブルプリント基板２１０の一部とが、光軸ＡＸ方向に重なる。そのため、実装基板３０上の実装面のうち、フレキシブルプリント基板１１０とフレキシブルプリント基板２１０と干渉する領域の面積を低減することができる。例えば、コネクタ１００およびコネクタ２００の挿入口付近に電子部品の実装を禁止する実装禁止エリアを設ける場合でも、コネクタの挿入口が向かい合わない位置にコネクタを実装する場合と比較して、電子部品が実装できない面積を小さくして、実装基板３０上の領域を有効に活用することができる。
【００２２】
図２は、鏡筒部２１および実装基板３０を光軸ＡＸに沿う方向に見た場合の配置例を、フレキシブルプリント基板１１０およびフレキシブルプリント基板２１０とともに模式的に示す。図２では、フレキシブルプリント基板１１０およびフレキシブルプリント基板２１０が挿入される前の状態を示す。
【００２３】
実装基板３０は、鏡筒部２１の収容部２２内に配置される。鏡筒部２１は、レンズ系１５を通過する被写体光束が通過する開口部２３を有する。収容部２２は、全体として略円環状の形状を有しており、開口部２３を囲うように設けられる。実装基板３０は、全体として略円環状の収容部２２に沿う外形を有しており、収容部２２内に配置される。
【００２４】
コネクタ１００、コネクタ２００およびレンズ側ＭＰＵ２４は、実装基板３０の一方の主面である実装面３５に実装される。実装基板３０は、実装面３５が光軸ＡＸに略直交するように配置される。実装面３５は、光軸ＡＸ側に位置する内側縁部３１と、内側縁部３１より光軸ＡＸから離れた側に位置する外側縁部３２とを有する。
【００２５】
コネクタ１００は、コネクタ２００が実装された位置より内側縁部３１側の位置に実装される。コネクタ２００は、コネクタ１００が実装された位置よりも外側縁部３２に実装される。このように、コネクタ１００は、コネクタ２００が実装された位置より光軸ＡＸ側の位置に実装され、コネクタ２００は、コネクタ１００が実装された位置より光軸ＡＸから離れた位置に実装される。内側縁部３１および外側縁部３２は、それぞれ略円弧の形を持つ。
【００２６】
コネクタ１００は、フレキシブルプリント基板１１０が挿入される挿入口１０２を有する。フレキシブルプリント基板１１０は、挿入口１０２に着脱可能である。コネクタ１００は、ＮＯＮ−ＺＩＦ（無挿入力：Ｚｅｒｏ  Ｉｎｔｅｒｓｉｏｎ  Ｆｏｒｃｅ）タイプのコネクタである。
【００２７】
コネクタ２００は、フレキシブルプリント基板２１０が挿入される挿入口２０２を有する。コネクタ２００は、挿入口１０２と向かい合う位置に挿入口２０２を有する。フレキシブルプリント基板２１０は、挿入口２０２に着脱可能である。コネクタ２００は、ＺＩＦタイプのコネクタである。
【００２８】
図２には、実装面３５上に定めたｕｖｗ座標系の座標軸を示す。ｕｖｗ座標系は、直交座標系であり、ｕ軸、ｖ軸およびｗ軸は互いに直交する。ｗ軸は、光軸ＡＸに沿う方向の座標軸である。したがって、実装基板３０の実装面３５はｕｖ平面に略平行である。また、被写体光束が進む方向をｗ軸のマイナス方向と定める。レンズユニット２０がカメラ本体８０に装着されている場合、カメラ本体８０から離れる方向がｗ軸プラス方向となる。ｕ軸は、挿入口１０２および挿入口２０２がそれぞれｕｗ平面に平行になるように定める。ｕｖｗ座標系は、右手系の座標系である。
【００２９】
フレキシブルプリント基板１１０は、コネクタ部１２０と、配線部１３０とを有する。コネクタ部１２０は、コネクタ１００の挿入口１０２に挿入される。コネクタ部１２０の全体が挿入口１０２からコネクタ１００内まで差し込まれることにより、フレキシブルプリント基板１１０がコネクタ１００に装着される。
【００３０】
配線部１３０は、コネクタ部１２０に続く屈曲部１３１と、屈曲部１３１に続く直進部１３２と、直進部１３２に続く屈曲部１３３と、屈曲部１３３に続く直進部１３４とを有する。フレキシブルプリント基板１１０がコネクタ１００に装着された場合の屈曲部１３１、直進部１３２、屈曲部１３３、直進部１３４、縁部１４１および縁部１４１の位置関係については、後述する。
【００３１】
フレキシブルプリント基板２１０は、コネクタ部２２０と、配線部２３０とを有する。コネクタ部２２０は、コネクタ２００の挿入口２０２に挿入される。コネクタ部２２０の全体が挿入口２０２からコネクタ２００内まで差し込まれることにより、フレキシブルプリント基板２１０がコネクタ２００に装着される。
【００３２】
配線部２３０は、コネクタ部２２０に続く屈曲部２３１と、屈曲部２３１に続く直進部２３２と、直進部２３２に続く屈曲部２３３と、屈曲部２３３に続く直進部２３４とを有する。フレキシブルプリント基板２１０がコネクタ２００に装着された場合の屈曲部２３１、直進部２３２、屈曲部２３３、直進部２３４、縁部２４１および縁部２４２の位置関係については、後述する。
【００３３】
コネクタ２００は、挿入口１０２と向かい合う位置に挿入口２０２を有する。図１に示されるように、フレキシブルプリント基板１１０は、挿入口１０２と挿入口２０２との間で、フレキシブルプリント基板２１０と実装基板３０の実装面３５との間に配置される。このように、フレキシブルプリント基板１１０とフレキシブルプリント基板２１０とが重ねて配置される。そのため、図２の斜線部に示すように、挿入口１０２の近傍および挿入口２０２の近傍に実装禁止エリア３００を設ける場合でも、実装禁止エリア３００の面積を小さくして、実装基板３０上の領域を有効に活用することができる。
【００３４】
図３は、実装基板３０、コネクタ１００およびコネクタ２００を具体的に示す正面図である。図４は、フレキシブルプリント基板１１０をコネクタ１００に挿入した状態を示す正面図である。図５は、フレキシブルプリント基板２１０がコネクタ２００に挿入された状態を示す斜視図である。図６は、フレキシブルプリント基板１１０がコネクタ１００に挿入され、フレキシブルプリント基板２１０がコネクタ２００に挿入された状態を示す斜視図である。
【００３５】
図３に示されるように、コネクタ１００は、コネクタ２００からｖ軸方向に距離Ｄだけ離間して実装されている。すなわち、挿入口１０２と挿入口２０２との間隔は、距離Ｄである。
【００３６】
図４に示されるように、フレキシブルプリント基板１１０がコネクタ１００に装着されている場合、配線部１３０は、コネクタ１００の挿入口１０２からｖ軸マイナス方向に延伸し、屈曲部１３１おいて、配線部１３０内の配線の延伸方向は略直交する方向に曲げられる。具体的には、フレキシブルプリント基板１１０が有する配線の延伸方向は、コネクタ部１２０におけるｖ軸方向から、屈曲部１３１においてｕ軸方向に曲げられて、直進部１３２に続く。配線部１３０は、直進部１３２においてｕ軸マイナス方向に延伸し、屈曲部１３３において主としてｖ軸マイナス方向に沿う方向に曲げられ、直進部１３４において外側縁部３２に向かう。なお、図１、６等に示されるように、配線部１３０は、外側縁部３２を超えた後、ｗ軸プラス方向に延伸し、レンズ駆動部２８に設けられたコネクタまで延伸する。
【００３７】
配線部１３０は、直進部１３２において幅ｄ１を有する。配線部１３０の幅は、配線部１３０内の配線によって信号が伝送される方向に直交する方向の長さで定義する。幅ｄ１は、直進部１３２における、縁部１４１と縁部１４２との間の距離である。幅ｄ１は距離Ｄより小さく、直進部１３２の一部は、挿入口１０２と挿入口２０２との間に位置する。距離Ｄは、幅ｄ１の配線部１３０を挿入口１０２と挿入口２０２との間に配置できる程度の値に設計される。
【００３８】
フレキシブルプリント基板１１０の直進部１３２において、縁部１４１は縁部１４２よりｖ軸マイナス側に位置する。配線部１３０の屈曲部１３１および直進部１３２において、縁部１４１は、挿入口２０２よりｖ軸プラス側に位置し、挿入口１０２よりｖ軸マイナス側に位置する。すなわち、配線部１３０は、屈曲部１３１および直進部１３２の一部において、挿入口１０２と挿入口２０２との間に配置される。このように、配線部１３０は、屈曲部１３１および直進部１３２の一部において、挿入口１０２と挿入口２０２との間の間隔Ｄより狭い幅を有し、挿入口１０２と第２挿入口２０２との間を通過する。
【００３９】
配線部１３０は、屈曲部１３１および直進部１３２の一部において挿入口１０２と第２挿入口２０２との間を通過しているので、配線部１３０がコネクタ１００から抜けにくくなる。そのため、コネクタ１００に非ＺＩＦタイプのコネクタを使用しても、配線部１３０がコネクタ１００から抜けにくい。
【００４０】
フレキシブルプリント基板２１０がコネクタ２００に装着されている場合、配線部２３０は、コネクタ２００の挿入口２０２からｖ軸プラス方向に延伸し、屈曲部２３１おいて、配線部２３０内の配線の延伸方向は略直交する方向に曲げられる。具体的には、フレキシブルプリント基板２１０が有する配線の延伸方向は、コネクタ部２２０におけるｖ軸方向から、屈曲部２３１においてｕ軸方向に曲げられて、直進部２３２に続く。配線部２３０は、直進部２３２においてｕ軸マイナス方向に延伸し、屈曲部２３３において主としてｖ軸マイナス方向に沿う方向に曲げられ、直進部２３４において外側縁部３２に向かう。なお、図１等に示されるように、配線部１３０は、直進部２３４に続いて、レンズ側マウント４０に設けられた通信および受電用の接続部に接続されたコネクタまで延伸する。
【００４１】
配線部２３０は、直進部２３２において幅ｄ２を有する。幅ｄ２は、直進部２３２における、縁部２４１と縁部２４２との間の距離である。幅ｄ２は距離Ｄより小さく、直進部２３２の一部は、挿入口１０２と挿入口２０２との間に位置する。距離Ｄは、幅ｄ２の配線部２３０を挿入口１０２と挿入口２０２との間に配置できる程度の値に設計される。
【００４２】
フレキシブルプリント基板２１０の直進部２３２において、縁部２４１は縁部２４２よりｖ軸マイナス側に位置する。配線部２３０の屈曲部２３１および直進部２３２において、縁部２４１は、挿入口２０２よりｖ軸プラス側に位置し、挿入口１０２よりｖ軸マイナス側に位置する。すなわち、配線部２３０は、屈曲部２３１および直進部２３２の一部において、挿入口１０２と挿入口２０２との間に配置される。このように、配線部２３０は、屈曲部２３１および直進部２３２の一部において、挿入口１０２と挿入口２０２との間の間隔Ｄより狭い幅を有し、挿入口１０２と第２挿入口２０２との間を通過する。
【００４３】
配線部２３０は、屈曲部２３１および直進部２３２の一部において挿入口１０２と第２挿入口２０２との間を通過しているので、配線部２３０がコネクタ２００から抜けにくくなる。なお、配線部２３０の屈曲部２３１および直進部２３２は、配線部１３０よりｗ軸プラス側にある。しかし、コネクタ２００にＺＩＦタイプのコネクタを使用しているので、フレキシブルプリント基板２１０がコネクタ２００から容易に抜けることがない。
【００４４】
以上に説明したように、対向する挿入口を有するコネクタ１００およびコネクタ２００を実装基板３０に配置したので、実装基板３０上の実装禁止エリアが大きくなることを抑制できる。そのため、実装基板３０に実装する電子部品等の実装密度を高めることができる。また、実装基板３０を小型化することができる。
【００４５】
なお、挿入口１０２と挿入口２０２との間において、フレキシブルプリント基板１１０とフレキシブルプリント基板２１０との間に、シールド部材を設けてよい。シールド部材を設けることにより、フレキシブフレキシブルプリント基板１１０で伝送される電気信号とフレキシブルプリント基板２１０で伝送される電気信号との間のクロストークを低減することができる。
【００４６】
本実施形態において、フレキシブルプリント基板１１０およびフレキシブルプリント基板２１０は、配線基板の一例である。対向する挿入口を有する複数のコネクタに挿入される配線部材としては、フレキシブルプリント基板の他に、フレキシブルフラットケーブル等の平板状の配線部材を適用できる。
【００４７】
本実施形態のレンズユニット２０は、対向する挿入口を有する複数のコネクタを実装基板に実装した電子機器の一例である。同様に、カメラ１０も、対向する挿入口を有する複数のコネクタを実装基板に実装した電子機器の一例である。なお、本実施形態におけるメイン基板７０に、対向する挿入口を持つ複数のコネクタを実装してもよい。例えば、メイン基板７０に、フレキシブルプリント基板６８が挿入される挿入口を有するコネクタと、当該挿入口に対向する挿入口を有するコネクタとを実装してよい。この場合、カメラ本体８０は、対向する挿入口を有する複数のコネクタを実装基板に実装した電子機器の一例である。
【００４８】
また、本実施形態において、撮像装置の一例として、レンズ交換式のカメラ１０を取り上げて説明した。しかし、撮像装置は、一眼レフレッククカメラ等のレンズ交換式のカメラ以外のカメラを含む概念である。例えば、撮像装置は、レンズ非交換式カメラ、ビデオカメラなど、撮像機能を有する種々の機器を含む概念である。撮像装置は、電子機器の一例である。撮像機能の有無にかかわらず、対向する挿入口を有する複数のコネクタを実装基板に実装する構成を種々の電子機器に適用できる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５１】
１０  カメラ
１１、１２、１３、１４  レンズ
１５  レンズ系
２０  レンズユニット
２１  鏡筒部
２２  収容部
２３  開口部
２４  レンズ側ＭＰＵ
２８  レンズ駆動部
３０  実装基板
３１  内側縁部
３２  外側縁部
３５  実装面
４０  レンズ側マウント
５０  カメラ側マウント
６０  撮像ユニット
６８  フレキシブルプリント基板
７０  メイン基板
７１  カメラ側ＭＰＵ
７２  ＡＳＩＣ
８０  カメラ本体
１００  コネクタ
１０２  挿入口
１１０  フレキシブルプリント基板
１２０  コネクタ部
１３０  配線部
１３１  屈曲部
１３２  直進部
１３３  屈曲部
１３４  直進部
１４１  縁部
１４２  縁部
２００  コネクタ
２０２  挿入口
２１０  フレキシブルプリント基板
２２０  コネクタ部
２３０  配線部
２３１  屈曲部
２３２  直進部
２３３  屈曲部
２３４  直進部
２４１  縁部
２４２  縁部
３００  実装禁止エリア
【図１】
2015075642.tif 000003
【図２】
2015075642.tif 000004
【図３】
2015075642.tif 000005
【図４】
2015075642.tif 000006
【図５】
2015075642.tif 000007
【図６】
2015075642.tif 000008